【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
周囲状況の感応情報を携帯ユーザに提供するためのプロセッサ実施方法であって、
ユーザ活動関心情報を蓄積することと、
ユーザ状況情報を蓄積することと、
前記ユーザ活動関心情報およびユーザ状況情報をユーザプロフィールに関連付けることと、
データベースにおける前記関連された情報を用いて前記ユーザプロフィールを更新することと、
前記ユーザプロフィールに関連付けられた、蓄積された情報を分析することと、
前記ユーザプロフィールの前記分析に基づいて、情報データベースに照会することと、
前記ユーザプロフィールおよびユーザ位置における周囲状況に基づいて、メッセージ内に含める情報を選択することと、
前記メッセージをユーザに送信することと
を含む、プロセッサ実施方法。
【請求項２】
周囲状況の感応情報を携帯ユーザに提供するためのプロセッサ実施方法であって、
ユーザＩＤ、携帯デバイスＩＤ、前記携帯デバイスによってスキャンされるコード画像、前記スキャンの時刻、および前記スキャンの前記時刻におけるユーザの地理的位置から成る、サーバメッセージを、ユーザから受信することであって、前記メッセージは、ＭＭＳを介してショートコードアドレスに送信される、ことと、
前記ユーザＩＤをデータベース内のユーザプロフィールに関連付けることと、
前記受信メッセージを用いて前記ユーザプロフィールを更新することと、
前記携帯デバイスによってスキャンされる前記コード画像を強調することと、
前記ユーザプロフィールにある蓄積されたメッセージを分析することと、
前記受信メッセージ、前記ユーザプロフィール、およびユーザ位置における周囲状況に基づいて、前記ユーザに提供する適切な情報を決定することと、
前記ユーザに提供する前記情報をデータベースから選択することと、
前記選択された情報を返信メッセージに組み込むことと、
前記ユーザの携帯デバイスにＭＭＳを介して前記返信メッセージを送信することと
を含む、プロセッサ実施方法。
【請求項３】
ユーザ情報を蓄積し、それに基づいて対象コンテンツを配信するためのプロセッサ実施方法であって、
ユーザ活動関心情報を蓄積することと、
ユーザ状況情報を蓄積することと、
前記ユーザ活動関心情報および前記ユーザ状況情報をユーザプロフィールに関連付けることと、
データベースにおける前記関連付けられた情報を用いて前記ユーザプロフィールを更新することと、
前記ユーザプロフィールに関連付けられた、蓄積された情報を分析することと、
前記ユーザプロフィールの前記分析に基づいて、情報データベースに照会することと、
前記ユーザプロフィールに基づいて、メッセージ内に含める情報を選択することと、
前記メッセージをユーザに送信することと
を含む、プロセッサ実施方法。
【請求項４】
前記ユーザに送信される前記メッセージ内に含まれる前記情報は、ランキングに基づいて選択される、請求項３に記載の方法。
【請求項５】
前記ユーザに送信される前記メッセージの関連性評価を受信することをさらに含む、請求項３に記載の方法。
【請求項６】
前記ユーザ活動関心情報および前記ユーザ状況情報に基づいて広告プロフィールを更新することをさらに含む、請求項３に記載の方法。
【請求項７】
前記情報データベースへの前記照会に基づいてメッセージに含める情報を決定することをさらに含む、請求項３に記載の方法。
【請求項８】
前記ユーザ状況情報は、地理的位置を含む、請求項３に記載の方法。
【請求項９】
前記ユーザ状況情報は、所与の時刻における地理的位置を含む、請求項８に記載の方法。
【請求項１０】
前記ユーザ状況情報は、スキャン済みコードのコンテキストを含む、請求項３に記載の方法。
【請求項１１】
前記ユーザ状況情報は、連続的に更新される、請求項３に記載の方法。
【請求項１２】
前記蓄積されたユーザ活動関心情報は、ユーザ行動の記録を含む、請求項３に記載の方法。
【請求項１３】
前記ユーザ活動関心情報は、携帯デバイスによってスキャンされるコードから成る、請求項３に記載の方法。
【請求項１４】
前記コードは、マトリックスコードであり、携帯デバイスによる前記スキャンは、携帯デバイスカメラを用いて前記マトリックスコードの写真を撮影することを含む、請求項１３に記載の方法。
【請求項１５】
前記スキャン済みコードの画像をサーバにおいて受信することをさらに含み、前記ユーザプロフィールに関連付けられて蓄積された情報を分析することは、前記コード画像をコード画像データベースにマッチングさせることを含む、請求項１３に記載の方法。
【請求項１６】
前記スキャン済みコードの前記画像は、ＭＭＳを介して送信される、請求項１５に記載の方法。
【請求項１７】
前記ユーザに送信される前記メッセージは、ＭＭＳを介して送信される、請求項１６に記載の方法。
【請求項１８】
前記スキャン済みコードの前記画像は、ショートコードアドレスに送信される、請求項１７に記載の方法。
【請求項１９】
前記コード画像をコード画像データベースにマッチングさせる前に、前記スキャン済みコードの前記画像に対して画像強調を実行することをさらに含む、請求項１８に記載の方法。
【請求項２０】
前記ユーザに送信される前記メッセージは、携帯デバイスに送信される、請求項３に記載の方法。
【請求項２１】
前記ユーザに送信される前記メッセージは、ウェブサイト上で提供される、請求項３に記載の方法。
【請求項２２】
販売業者ルールを抽出するために販売業者ルールデータベースに照会することをさらに含み、前記情報を選択することは、前記販売業者ルールの実施にさらに基づく、請求項３に記載の方法。
【請求項２３】
顧客記録を抽出するために第三者顧客データベースに照会することをさらに含み、前記情報を選択することは、前記顧客記録にさらに基づく、請求項３に記載の方法。
【請求項２４】
ユーザから携帯デバイスコードスキャン情報を蓄積し、それに基づいてコンテンツを配信するためのプロセッサ実施方法であって、
ユーザＩＤ、携帯デバイスＩＤ、前記携帯デバイスによってスキャンされるコード画像、前記スキャンの時刻、および前記スキャンの前記時刻におけるユーザの地理的位置から成るメッセージを、サーバにおいて、ユーザから受信することであって、前記メッセージは、ＭＭＳを介してショートコードアドレスに送信される、ことと、
前記ユーザＩＤをデータベース内のユーザプロフィールに関連付けることと、
前記受信メッセージを用いて前記ユーザプロフィールを更新することと、
前記携帯デバイスによってスキャンされる前記コード画像を強調することと、
前記ユーザプロフィールにある蓄積されたメッセージを分析することと、
前記受信メッセージおよび前記ユーザプロフィールに基づいて、前記ユーザに提供する適切な情報を決定することと、
前記ユーザに提供する前記情報をデータベースから選択することと、
前記選択された情報を返信メッセージに組み込むことと、
前記ユーザの携帯デバイスにＭＭＳを介して前記返信メッセージを送信することと
を含む、プロセッサ実施方法。
【請求項２５】
ユーザの関心／状況を予測し、それに基づいて前記ユーザに情報を供給するためのプロセッサ実施方法であって、
ユーザ活動関心情報を蓄積することと、
ユーザ状況情報を蓄積することと、
前記ユーザ活動関心情報および前記ユーザ状況情報を分析することと、
予想されるユーザ関心／状況情報を前記分析から予測することと、
前記予想されるユーザ関心／状況情報に基づいて、ユーザに提供する提供情報を決定することと、
前記提供する情報をデータベースから選択することと、
前記選択された情報をメッセージに組み込むことと、
メッセージを送信するために目標時刻／場所を決定することと、
前記提供情報および前記目標時刻／場所をメッセージ内に組み込むことと、
配信のために前記メッセージを送信することと
を含む、プロセッサ実施方法。
【請求項２６】
ユーザの関心／状況を予測し、それに基づいて前記ユーザに情報を供給するためのプロセッサ実施方法であって、
ユーザの携帯デバイスによってスキャンされ、ＭＭＳを介してショートコードアドレスに送信される、複数のコード画像を、サーバに蓄積することと、
ユーザ状況情報を蓄積することと、
ユーザ活動関心情報および前記ユーザ状況情報を分析することと、
予想されるユーザ関心／状況情報を前記分析から予測することと、
前記予想されるユーザ関心／状況情報に基づいて、ユーザに提供する提供情報を決定することと、
前記提供する情報をデータベースから選択することと、
前記選択された情報をメッセージに組み込むことと、
メッセージを送信するために目標時刻／場所を決定することと、
前記提供情報および前記目標時刻／場所をメッセージ内に組み込むことと、
ＭＭＳを介した配信のために前記メッセージを送信することと
を含む、プロセッサ実施方法。
【請求項２７】
蓄積されたユーザ情報に基づいて仮想世界内のユーザに情報を提供するためのプロセッサ実施方法であって、
ユーザ活動関心情報を蓄積することと、
ユーザ状況情報を蓄積することと、
前記ユーザ活動関心情報および前記ユーザ状況情報をユーザプロフィールに関連付けることと、
データベースにおける前記関連付けられた情報を用いて前記ユーザプロフィールを更新することと、
前記ユーザプロフィールに関連付けられた、蓄積された情報を分析することと、
前記ユーザプロフィールの前記分析に基づいて、情報データベースに照会することと、
前記ユーザプロフィールに基づいて、メッセージ内に含める情報を選択することと、
前記メッセージを仮想世界内で提供することと
を含む、プロセッサ実施方法。
【請求項２８】
蓄積されたユーザ情報に基づいて仮想世界内で情報を提供するためのプロセッサ実施方法であって、
ユーザＩＤ、仮想世界内のユーザ決定、前記決定の時刻、および前記決定時の前記仮想世界内のユーザ位置、から成るメッセージを、ユーザから受信することと、
前記ユーザＩＤをデータベース内のユーザプロフィールに関連付けることと、
前記受信メッセージを用いて前記ユーザプロフィールを更新することと、
前記ユーザプロフィールにある蓄積されたメッセージを分析することと、
前記受信メッセージおよび前記ユーザプロフィールに基づいて、前記ユーザに提供する適切な情報を決定することと、
前記ユーザに提供する前記情報をデータベースから選択することと、
前記選択された情報を返信メッセージに組み込むことと、
前記返信メッセージを前記仮想世界内で提供することと
を含む、プロセッサ実施方法。
【請求項２９】
インターネット上のユーザ情報を追跡し、それに基づいてユーザに情報を提供するためのプロセッサ実施方法であって、
ユーザ活動関心情報を蓄積することと、
ユーザ状況情報を蓄積することと、
前記ユーザ活動関心情報および前記ユーザ状況情報をユーザプロフィールに関連付けることと、
データベースにおける前記関連付けられた情報を用いて前記ユーザプロフィールを更新することと、
前記ユーザプロフィールに関連付けられた、蓄積された情報を分析することと、
前記ユーザプロフィールの前記分析に基づいて、情報データベースに照会することと、
前記ユーザプロフィールに基づいて、メッセージ内に含める情報を選択することと、
前記メッセージをウェブサイト上で提供することと
を含む、プロセッサ実施方法。
【請求項３０】
インターネット上のユーザ情報を追跡し、それに基づいて携帯デバイスに情報を提供するためのプロセッサ実施方法であって、
ユーザＩＤ、携帯デバイスＩＤ、前記携帯デバイスによってスキャンされるコード、前記スキャンの時刻、および前記スキャンの前記時刻におけるユーザの地理的位置から成る、メッセージを、ユーザから受信することと、
前記ユーザＩＤをデータベース内のユーザプロフィールに関連付けることと、
前記受信メッセージを用いて前記ユーザプロフィールを更新することと、
前記ユーザプロフィールにある蓄積されたメッセージを分析することと、
前記受信メッセージおよび前記ユーザプロフィールに基づいて、前記ユーザに提供する適切な情報を決定することと、
前記ユーザに提供する前記情報をデータベースから選択することと、
前記選択された情報を返信メッセージに組み込むことと、
前記返信をウェブサイト上で提供することと
を含む、プロセッサ実施方法。
【請求項３１】
周囲状況の感応情報を携帯ユーザに提供するための装置であって、
メモリと、
前記メモリと通信するように配置され、前記メモリに格納された複数の命令を発行するように構成される、プロセッサとを備え、
前記命令は、前記プロセッサによって
ユーザ活動関心情報を蓄積し、
ユーザ状況情報を蓄積し、
前記ユーザ活動関心情報および前記ユーザ状況情報をユーザプロフィールに関連付け、
データベースにおける前記関連付けられた情報を用いて前記ユーザプロフィールを更新し、
前記ユーザプロフィールに関連付けられた、蓄積された情報を分析し、
前記ユーザプロフィールの前記分析に基づいて、情報データベースに照会し、
前記ユーザプロフィールおよびユーザ位置における周囲状況に基づいて、メッセージ内に含むための情報を選択し、
前記メッセージをユーザに送信する
ように発行可能である、装置。
【請求項３２】
メモリと、
前記メモリと通信して配置され、前記メモリに記憶されている複数の命令を出すように構成されているプロセッサとを備える、周囲状況の感応情報を携帯ユーザに提供するための装置であって、
前記命令は、
ユーザＩＤ、携帯デバイスＩＤ、携帯デバイスでスキャンされるコード画像、前記スキャン時間、及び前記スキャン時におけるユーザの地理的位置から成るメッセージを、サーバにおいて、ユーザから受信することであって、前記メッセージはＭＭＳを通じてショートコードアドレスに送信される、ことと、
前記ユーザＩＤ番号とデータベースにあるユーザプロフィールとを関連付けることと、
前記受信メッセージを用いて前記ユーザプロフィールを更新することと、
前記携帯デバイスでスキャンされた前記コード画像を強調することと、
前記ユーザプロフィールにある蓄積されたメッセージを分析することと、
前記受信されたメッセージ、前記ユーザプロフィール、及びユーザの位置における周囲状況に基づいて、前記ユーザに対して提供する適切な情報を決定することと、
データベースから前記ユーザに提供する前記情報を選択することと、
前記選択された情報を返信メッセージに組み込むことと、
前記返信メッセージを前記ユーザの携帯デバイスにＭＭＳを経由して送信することと
を、前記プロセッサによって発行可能である、装置。
【請求項３３】
メモリと、
前記メモリと通信して配置され、前記メモリに記憶されている複数の命令を出すように構成されているプロセッサとを備える、ユーザ情報を蓄積し、それに基づいて目標とされたコンテンツを配信するための装置であって、
前記命令は、
ユーザ活動関心情報を蓄積することと、
ユーザ状況情報を蓄積することと、
前記ユーザ活動関心情報および前記ユーザ状況情報と、ユーザプロフィールとを関連付けることと、
データベース中の前記関連情報を用いて前記ユーザプロフィールを更新することと、
前記ユーザプロフィールに関連付けられた蓄積情報を分析することと、
前記ユーザプロフィールの前記分析に基づいて情報データベースの照会を行うことと、
メッセージに含める前記ユーザプロフィールに基づいて情報を選択することと、
ユーザに前記メッセージを送ることと
を、前記プロセッサによって発行可能である、装置。
【請求項３４】
前記ユーザに送信される前記メッセージに含まれる前記情報がランキングに基づいて選択される請求項３３に記載の装置。
【請求項３５】
前記ユーザに送信される前記メッセージの関連性評価を受信することを更に含む請求項３３に記載の装置。
【請求項３６】
前記ユーザ活動関心情報及び前記ユーザ状況情報に基づいて広告プロフィールを更新することを更に含む請求項３３に記載の装置。
【請求項３７】
前記情報データベースの照会に基づいてメッセージに含める情報を決定することを更に含む請求項３３に記載の装置。
【請求項３８】
前記ユーザ状況情報が地理的位置を含む請求項３３に記載の装置。
【請求項３９】
前記ユーザ状況情報が所定の時間における地理的位置を含む請求項３８に記載の装置。
【請求項４０】
前記ユーザ状況情報がスキャン済みコードのコンテキストを含む請求項３３に記載の装置。
【請求項４１】
前記ユーザ状況情報が連続的に更新される請求項３３に記載の装置。
【請求項４２】
前記蓄積されたユーザ活動関心情報がユーザ行動の記録を含む請求項３３に記載の装置。
【請求項４３】
前記ユーザ活動関心情報が携帯デバイスでスキャンされたコードから成る請求項３３に記載の装置。
【請求項４４】
前記コードがマトリクス・コードであり、携帯デバイスによる前記スキャンが、携帯デバイスカメラで前記マトリクス・コードの写真を撮ることを含む請求項４３に記載の装置。
【請求項４５】
前記スキャンされたコードの画像をサーバで受信することをさらに含み、
前記ユーザプロフィールと関連付けられた蓄積情報を分析することが、前記コード画像をコード画像データベースとマッチングさせることを含む、請求項４３に記載の装置。
【請求項４６】
前記スキャンされたコード画像がＭＭＳを経由して送信される請求項４５に記載の装置。
【請求項４７】
前記ユーザに送られる前記メッセージがＭＭＳを経由して送信される請求項４６に記載の装置。
【請求項４８】
前記スキャンされたコード画像がショートコードアドレスに送信される請求項４７に記載の装置。
【請求項４９】
前記コード画像をコード画像データベースにマッチングさせる前に、前記スキャンされたコード画像の画像強調を行うことを更に含む請求項４８に記載の装置。
【請求項５０】
前記ユーザに送られる前記メッセージが携帯デバイスに送信される請求項３３に記載の装置。
【請求項５１】
前記ユーザに送信される前記メッセージがウェブサイト上で提供される請求項３３に記載の装置。
【請求項５２】
販売業者ルールを抽出するために販売業者ルールデータベースを照会することをさらに含み、
前記選択情報が、前記販売業者ルールの実施に更に基づいている、請求項３３に記載の装置。
【請求項５３】
顧客記録を抽出するために第三者顧客データベースを照会することをさらに含み、
前記選択情報が、顧客記録に更に基づいている請求項３３に記載の装置。
【請求項５４】
メモリと、
前記メモリと通信して配置され、前記メモリに記憶されている複数の命令を出すように構成されているプロセッサとを備える、ユーザからの携帯デバイスコードスキャン情報を蓄積し、それに基づいたコンテンツを配信するための装置であって、
前記命令は、
サーバにおいてユーザからの、ユーザＩＤ、携帯デバイスＩＤ、携帯デバイスでスキャンされたコード画像、スキャン時におけるユーザの地理的位置からなるメッセージを受信することであって、前記メッセージはＭＭＳ経由でショートコードアドレスに送信される、ことと、
前記ユーザＩＤとデータベースにおけるユーザプロフィールとを関連付けることと、
前記受信されたメッセージで前記ユーザプロフィールを更新することと、
前記携帯デバイスでスキャンされた前記コード画像を強調することと、
前記ユーザプロフィールにおける蓄積されたメッセージを分析することと、
前記受信されたメッセージと前記ユーザプロフィールに基づいて前記ユーザに提供する適切な情報を決定することと、
データベースから前記ユーザに提供する情報を選択することと、
前記選択された情報を返信メッセージに組み込むことと、
前記返信メッセージを前記ユーザの携帯デバイスにＭＭＳ経由で送信することと
を、前記プロセッサによって発行可能である、装置。
【請求項５５】
メモリと、
前記メモリと通信して配置され、前記メモリに記憶されている複数の命令を出すように構成されているプロセッサとを備える、ユーザの関心と状況を予測し、それに基づいてユーザに情報を供給するための装置であって、
前記命令は、
ユーザ活動関心情報を蓄積することと、
ユーザ状況情報を蓄積することと、
前記ユーザ活動関心情報及びユーザ状況情報を分析することと、
予期されるユーザ活動関心とユーザ状況情報を分析から予測することと、
予期されるユーザ関心及び状況情報に基づいてユーザに提供する提供情報を決定することと、
データベースから前記提供する情報を選択することと、
前記選択された情報をメッセージに組み込むことと、
メッセージを送信する目標時間と場所を決定することと、
提供する情報と目標時間と場所をメッセージに組み込むことと、
配信のために前記メッセージを送信することと
を、前記プロセッサによって発行可能である、装置。
【請求項５６】
メモリと、
前記メモリと通信して配置され、前記メモリに記憶されている複数の命令を出すように構成されているプロセッサとを備える、ユーザの関心と状況を予測し、それに基づいてユーザに情報を供給するための装置であって、
前記命令は、
サーバにおいて、ユーザの携帯デバイスでスキャンされた複数のコード画像を蓄積し、ＭＭＳ経由でショートコードアドレスに送信することと、
ユーザの状況情報を蓄積することと、
ユーザ活動関心情報とユーザ状況情報を分析することと、
予期されるユーザ関心及び状況情報を前記分析から予測することと、
予期されるユーザ関心情報とユーザ状況情報に基づいてユーザに提供するための提供情報を決定することと、
データベースから前記提供する情報を選択することと、
前記選択された情報をメッセージに組み込むことと、
メッセージを送信する目標時間と場所を決定することと、
提供情報と目標時間と場所とをメッセージに組み込むことと、
配信のための前記メッセージをＭＭＳ経由で送信することと
を、前記プロセッサによって発行可能である、装置。
【請求項５７】
メモリと、
前記メモリと通信して配置され、前記メモリに記憶されている複数の命令を出すように構成されているプロセッサとを備える、蓄積されたユーザ情報に基づいて仮想世界の中でユーザに対して情報を提供するための装置であって、
前記命令は、
ユーザ活動関心情報を蓄積することと、
ユーザ状況情報を蓄積することと、
前記ユーザ活動関心情報とユーザ状況情報と、ユーザプロフィールとを関連付けることと、
データベースにおいて前記関連付けられた情報で前記ユーザプロフィールを更新することと、
前記ユーザプロフィールで関連付けられた蓄積情報を分析することと、
前記ユーザプロフィールの前記分析に基づいて情報データベースに照会することと、
前記ユーザプロフィールに基づいてメッセージに含める情報を選択することと、
仮想世界において前記メッセージを提供することと
を、前記プロセッサによって発行可能である、装置。
【請求項５８】
メモリと、
前記メモリと通信して配置され、前記メモリに記憶されている複数の命令を出すように構成されているプロセッサとを備える、蓄積されたユーザ情報に基づいて仮想世界において情報を提供するための装置であって、
前記命令は、
ユーザＩＤ、仮想世界の中でのユーザの決定、決定の時間、及び決定時における仮想世界の中でのユーザの位置から成るユーザからのメッセージを受信することと、
前記ユーザＩＤ番号とデータベースの中のユーザプロフィールとを関連付けることと、
前記受信したメッセージで前記ユーザプロフィールを更新することと、
前記ユーザプロフィールにおいて蓄積されたメッセージを分析することと、
前記受信したメッセージと前記ユーザプロフィールに基づいて前記ユーザに提供する適切なメッセージを決定することと、
データベースから前記ユーザに提供する情報を選択することと、
前記選択された情報を返信メッセージに組み込むことと、
仮想世界の中で前記返信メッセージを提供することと
を、前記プロセッサによって発行可能である、装置。
【請求項５９】
メモリと、
前記メモリと通信して配置され、前記メモリに記憶されている複数の命令を出すように構成されているプロセッサとを備える、ユーザ情報をインターネット上で追跡し、それに基づいてユーザに情報を提供するための装置であって、
前記命令は、
ユーザ活動関心情報を蓄積することと、
ユーザ状況情報を蓄積することと、
ユーザ活動関心情報とユーザ状況情報とユーザプロフィールとを関連付けることと、
データベースにおいて前記ユーザプロフィールを関連付けられた情報で更新することと、
前記ユーザプロフィールで関連付けられた蓄積情報を分析することと、
前記ユーザプロフィールの前記分析に基づいて情報データベースに照会することと、
メッセージに含める前記ユーザプロフィールに基づいて情報を選択することと
ウェブサイト上で前記メッセージを提供することと
を、前記プロセッサによって発行可能である、装置。
【請求項６０】
メモリと、
前記メモリと通信して配置され、前記メモリに記憶されている複数の命令を出すように構成されているプロセッサとを備える、ユーザ情報をインターネット上で追跡し、それに基づいて携帯デバイスに情報を提供するための装置であって、
前記命令は、
ユーザＩＤ、携帯デバイスＩＤ、携帯デバイスでスキャンされるコード、スキャン時間、及びスキャン時におけるユーザの地理的位置から成るユーザからのメッセージを受信することと、
前記ユーザＩＤとデータベースにおけるユーザプロフィールとを関連付けることと、
前記ユーザプロフィールを前記受信したメッセージで更新することと、
前記ユーザプロフィールにある蓄積したメッセージを分析することと、
前記受信したメッセージと前記ユーザプロフィールに基づいて提供する適切な情報を決定することと、
データベースから前記ユーザに提供する提供情報を選択することと、
前記選択された情報を返信メッセージに取り込むことと、
前記返信メッセージをウェブサイト上で提供することと
を、前記プロセッサによって発行可能である、装置。
【請求項６１】
周囲状況の感応情報を携帯ユーザに提供するためのプロセッサアクセス可能媒体であって、
前記プロセッサアクセス可能媒体に格納されるプロセッサ可読命令を含み、前記プロセッサ可読命令によってプロセッサは、
ユーザ活動関心情報を蓄積し、
ユーザ状況情報を蓄積し、
ユーザ活動関心情報およびユーザ状況情報をユーザプロフィールと関連付け、
データベース内の前記関連付けられた情報を用いて前記ユーザプロフィールを更新し、
前記ユーザプロフィールに関連付けられて蓄積された情報を分析し、
前記ユーザプロフィールの前記分析に基づいて情報データベースに照会し、
前記ユーザプロフィールおよびユーザ位置における周囲状況に基づいてメッセージに含める情報を選択し、
前記メッセージをユーザに送信する、プロセッサアクセス可能媒体。
【請求項６２】
周囲状況の感応情報を携帯ユーザに提供するためのプロセッサアクセス可能媒体であって、
前記プロセッサアクセス可能媒体内に格納されたプロセッサ可読命令を含み、前記プロセッサ可読命令はプロセッサによって、
ユーザＩＤ、携帯デバイスＩＤ、前記携帯デバイスによってスキャンされるコード画像、前記スキャンの時刻、および前記スキャンの時刻におけるユーザの地理的位置から成るメッセージを、サーバにおいて、ユーザから受信し、
前記メッセージは、ＭＭＳを介してショートコードアドレスに送信され、
前記ユーザＩＤをデータベース内のユーザプロフィールに関連付け、
前記受信メッセージを用いて前記ユーザプロフィールを更新し、
前記携帯デバイスによってスキャンされる前記コード画像を強調し、
前記ユーザプロフィールにある蓄積されたメッセージを分析し、
前記受信メッセージ、前記ユーザプロフィールおよびユーザ位置における周囲状況に基づいて、前記ユーザに提供する適切な情報を決定し、
前記ユーザに提供する前記情報をデータベースから選択し、
前記選択された情報を返信メッセージに組み込み、
前記ユーザの携帯デバイスにＭＭＳを介して前記返信メッセージを送信する、プロセッサアクセス可能媒体。
【請求項６３】
ユーザ情報を蓄積し、それに基づいて対象コンテンツを配信するためのプロセッサアクセス可能媒体であって、
前記プロセッサアクセス可能媒体に格納されるプロセッサ可読命令を含み、前記プロセッサ可読命令によってプロセッサは、
ユーザ活動関心情報を蓄積し、
ユーザ状況情報を蓄積し、
ユーザ活動関心情報およびユーザ状況情報をユーザプロフィールと関連付け、
データベース内の前記関連付けられた情報を用いて前記ユーザプロフィールを更新し、
前記ユーザプロフィールに関連付けられて蓄積された情報を分析し、
前記ユーザプロフィールの前記分析に基づいて情報データベースに照会し、
前記ユーザプロフィールに基づいてメッセージに含める情報を選択し、
前記メッセージをユーザに送信する、プロセッサアクセス可能媒体。
【請求項６４】
前記ユーザに送信された前記メッセージに含まれる前記情報は、ランキングに基づいて選択される、請求項６３に記載の媒体。
【請求項６５】
前記ユーザに送信される前記メッセージの関連性評価を受信することをさらに含む、請求項６３に記載の媒体。
【請求項６６】
前記ユーザ活動関心情報および前記ユーザ状況情報に基づいて広告プロフィールを更新することをさらに含む、請求項６３に記載の媒体。
【請求項６７】
前記情報データベースへの前記照会に基づいてメッセージに含める情報を決定することをさらに含む、請求項６３に記載の媒体。
【請求項６８】
前記ユーザ状況情報は、地理的位置を含む、請求項６３に記載の媒体。
【請求項６９】
前記ユーザ状況情報は、所与の時刻における地理的位置を含む、請求項６８に記載の媒体。
【請求項７０】
前記ユーザ状況情報は、スキャン済みコードのコンテキストを含む、請求項６３に記載の媒体。
【請求項７１】
前記ユーザ状況情報は、連続的に更新される、請求項６３に記載の媒体。
【請求項７２】
前記蓄積されたユーザ活動関心情報は、ユーザ行動の記録を含む、請求項６３に記載の媒体。
【請求項７３】
前記ユーザ活動関心情報は、携帯デバイスによってスキャンされるコードから成る、請求項６３に記載の媒体。
【請求項７４】
前記コードは、マトリックスコードであり、携帯デバイスによる前記スキャンは、携帯デバイスカメラを用いて前記マトリックスコードの写真を撮影することを含む、請求項７３に記載の媒体。
【請求項７５】
前記スキャン済みコードの画像をサーバにおいて受信することをさらに含み、前記ユーザプロフィールに関連付けられて蓄積された情報を分析することは、前記コード画像をコード画像データベースにマッチングさせることを含む、請求項７３に記載の媒体。
【請求項７６】
前記スキャン済みコードの前記画像は、ＭＭＳを介して送信される、請求項７５に記載の媒体。
【請求項７７】
前記ユーザに送信される前記メッセージは、ＭＭＳを介して送信される、請求項７６に記載の媒体。
【請求項７８】
前記スキャン済みコードの前記画像は、ショートコードアドレスに送信される、請求項７７に記載の媒体。
【請求項７９】
前記コード画像をコード画像データベースにマッチングさせる前に、前記スキャン済みコードの前記画像に対して画像強調を実行することをさらに含む、請求項７８に記載の媒体。
【請求項８０】
前記ユーザに送信される前記メッセージは、携帯デバイスに送信される、請求項６３に記載の媒体。
【請求項８１】
前記ユーザに送信される前記メッセージは、ウェブサイト上で提供される、請求項６３に記載の媒体。
【請求項８２】
販売業者ルールを抽出するために販売業者ルールデータベースに照会することをさらに含み、前記情報を選択することは、前記販売業者ルールの実施にさらに基づく、請求項６３に記載の媒体。
【請求項８３】
顧客記録を抽出するために第三者顧客データベースに照会することをさらに含み、前記情報を選択することは、前記顧客記録にさらに基づく、請求項６３に記載の媒体。
【請求項８４】
ユーザから携帯デバイスコードスキャン情報を蓄積し、それに基づいてコンテンツを配信するためのプロセッサアクセス可能媒体であって、
前記プロセッサアクセス可能媒体内に格納されたプロセッサ可読命令を含み、前記プロセッサ可読命令はプロセッサによって、
ユーザＩＤ、携帯デバイスＩＤ、前記携帯デバイスによってスキャンされるコード画像、前記スキャンの時刻、および前記スキャンの時刻におけるユーザの地理的位置から成るメッセージを、サーバにおいて、ユーザから受信し、
前記メッセージは、ＭＭＳを介してショートコードアドレスに送信され、
前記ユーザＩＤをデータベース内のユーザプロフィールに関連付け、
前記受信メッセージを用いて前記ユーザプロフィールを更新し、
前記携帯デバイスによってスキャンされる前記コード画像を強調し、
前記ユーザプロフィールにある蓄積されたメッセージを分析し、
前記受信メッセージおよび前記ユーザプロフィールに基づいて、前記ユーザに提供する適切な情報を決定し、
前記ユーザに提供する前記情報をデータベースから選択し、
前記選択された情報を返信メッセージに組み込み、
前記ユーザの携帯デバイスにＭＭＳを介して前記返信メッセージを送信する、プロセッサアクセス可能媒体。
【請求項８５】
ユーザの関心／状況を予測し、それに基づいて前記ユーザに情報を供給するためのプロセッサアクセス可能媒体であって、
前記プロセッサアクセス可能媒体に格納されるプロセッサ可読命令を含み、前記プロセッサ可読命令によってプロセッサは、
ユーザ活動関心情報を蓄積し、
ユーザ状況情報を蓄積し、
前記ユーザ活動関心情報およびユーザ状況情報を分析し、
ユーザ関心／状況情報および状況情報を前記分析から予測し、
予想されるユーザ関心／状況情報に基づいて、ユーザに提供する提供情報を決定し、
前記提供する情報をデータベースから選択し、
前記選択された情報をメッセージに組み込み、
メッセージを送信するために目標時刻／場所を決定し、
提供情報および目標時刻／場所をメッセージ内に組み込み、
前記メッセージを配信のために送信する、プロセッサアクセス可能媒体。
【請求項８６】
ユーザの関心／状況を予測しそれに基づいて前記ユーザに情報を供給するプロセッサアクセス可能媒体であって、
前記プロセッサアクセス可能媒体内に格納されたプロセッサ可読命令を含み、前記プロセッサ可読命令はプロセッサによって、
ユーザの携帯デバイスによりスキャンされ、ＭＭＳを介してショートコードアドレスに送信される、複数のコードの画像をサーバにおいて蓄積し、
ユーザ状況情報を蓄積し、
ユーザ活動関心情報およびユーザ状況情報を分析し、
予想されるユーザ関心／状況情報を前記分析から予測し、
予想されるユーザ関心／状況情報に基づいて、ユーザに提供する提供情報を決定し、
前記提供する情報をデータベースから選択し、
選択された情報をメッセージに組み込み、
メッセージを送信するために目標時刻／場所を決定し、
提供する情報および目標時刻／場所をメッセージ内に組み込み、
ＭＭＳを介して配信のための前記メッセージを送信する、プロセッサアクセス可能媒体。
【請求項８７】
蓄積されたユーザ情報に基づいて仮想世界内のユーザに情報を提供するためのプロセッサアクセス可能媒体であって、
前記プロセッサアクセス可能媒体に格納されるプロセッサ可読命令を含み、前記プロセッサ可読命令によってプロセッサは、
ユーザ活動関心情報を蓄積し、
ユーザ状況情報を蓄積し、
前記ユーザ活動関心情報およびユーザ状況情報をユーザプロフィールに関連付け、
データベースにおける前記関連付けられた情報を用いて前記ユーザプロフィールを更新し、
前記ユーザプロフィールに関連付けられた、蓄積された情報を分析し、
前記ユーザプロフィールの前記分析に基づいて、情報データベースに照会し、
前記ユーザプロフィールに基づいて、メッセージ内に含める情報を選択し、
前記メッセージをユーザに提供する、プロセッサアクセス可能媒体。
【請求項８８】
蓄積されたユーザ情報に基づいて仮想世界内の情報を提供するためのプロセッサアクセス可能媒体であって、
前記プロセッサアクセス可能媒体内に格納されたプロセッサ可読命令を含み、前記プロセッサ可読命令はプロセッサによって、
ユーザＩＤ、仮想世界内でのユーザの決定、前記決定の時刻、および前記決定の時刻における前記仮想世界内でのユーザ位置から成るメッセージをユーザから受信し、
前記ユーザＩＤをデータベース内のユーザプロフィールに関連付け、
前記受信メッセージを用いて前記ユーザプロフィールを更新し、
前記ユーザプロフィールにある蓄積されたメッセージを分析し、
前記受信メッセージおよび前記ユーザプロフィールに基づいてユーザへの提供に適切な情報を決定し、
前記ユーザに提供する前記情報をデータベースから選択し、
前記選択された情報を返信メッセージに組み込み、
前記仮想世界内に前記返信メッセージを提供する、プロセッサアクセス可能媒体。
【請求項８９】
インターネット上のユーザ情報を追跡し、それに基づいてユーザに情報を提供するためのプロセッサアクセ可能媒体であって、
前記プロセッサアクセス可能媒体内に格納されたプロセッサ可読命令を含み、前記プロセッサ可読命令はプロセッサによって、
ユーザ活動関心情報を蓄積し、
ユーザ状況情報を蓄積し、
前記ユーザ活動関心情報およびユーザ状況情報をユーザプロフィールと関連付け、
データベース内の前記関連付けられた情報を用いて前記ユーザプロフィールを更新し、
前記ユーザプロフィールに関連付けられた蓄積された情報を分析し、
前記ユーザプロフィールの前記分析に基づいて情報データベースに照会し、
前記ユーザプロフィールに基づいてメッセージに含める情報を選択し、
ウェブサイト上で前記メッセージを提供する、プロセッサアクセス可能媒体。
【請求項９０】
インターネット上のユーザ情報を追跡し、それに基づいてユーザに情報を提供するためのプロセッサアクセス可能媒体であって、
前記プロセッサアクセス可能媒体内に格納されたプロセッサ可読命令を含み、前記プロセッサ可読命令はプロセッサによって、
ユーザＩＤ、仮想世界内でのユーザの決定、前記決定の時刻、および前記決定の時刻における前記仮想世界内でのユーザ位置から成るメッセージをユーザから受信し、
前記ユーザＩＤをデータベース内のユーザプロフィールに関連付け、
前記受信メッセージを用いて前記ユーザプロフィールを更新し、
前記ユーザプロフィールにある蓄積されたメッセージを分析し、
前記受信メッセージおよび前記ユーザプロフィールに基づいてユーザへの提供に適切な情報を決定し、
前記ユーザに提供する前記情報をデータベースから選択し、
前記選択された情報を返信メッセージに組み込み、
ウェブサイトに前記返信メッセージを提供する、プロセッサアクセス可能媒体。